(57)【要約】  データ表示部１５は、ファイルフォルダアイコン３１、携帯電子装置ＩＤ名３２、機器伝送アイコン３３を表示する。ＣＰＵ１７は、指２７によってタッチパネル入力部９又は携帯電子装置２本体がノックされたことに応じて、タッチパネル出力信号３５又は加速度センサ出力信号３６を検知する。無線送受信部２３は、携帯電子装置ＩＤ名３２及び機器伝送アイコン３３が指２７にタッチされたことに応じて、送受信要求信号３７を送信する。無線送受信部２３は、送受信ＯＫ信号４０を受信したことに応じて、画面データ４１を送信する。これにより、ユーザは、直感的かつ簡単な操作で、画面データ４１を送受信することができる。
2012090296.tif 000002
【特許請求の範囲】
【請求項１】
複数の携帯電子装置を備える画面データ送受信システムにおいて、
前記携帯電子装置は、加速度を検知する加速度センサと、ユーザの指の接触を検知するタッチパネル入力部と、データを記憶するデータ記憶部と、該データを画面データとして表示するデータ表示部と、装置全体を制御する制御部と、装置全体を制御する制御プログラム及び該携帯電子装置に割り当てられた一意の携帯電子装置ＩＤを記憶する主記憶部と、無線信号を送受信する無線送受信部とを備え、
前記無線信号は、他の前記携帯電子装置に前記画面データを送受信することを要求する送受信要求信号と、他の該携帯電子装置に前記携帯電子装置ＩＤを通知する携帯電子装置ＩＤ信号であって、
前記加速度センサは、加速度を検知したことに応じて加速度センサ出力信号を出力し、
前記タッチパネル入力部は、ユーザの指の接触を検知したことに応じてタッチパネル出力信号を出力し、
前記制御部は、前記加速度センサ出力信号及び前記タッチパネル出力信号を検知し、該加速度センサ出力信号又は該前記タッチパネル出力信号を検知した後、所定時間が経過するまで該加速度センサ出力信号及び該前記タッチパネル出力信号を検知し続け、
前記無線送受信部は、前記制御部が前記加速度センサ出力信号又は前記タッチパネル出力信号を検知した後、所定時間が経過するまで該加速度センサ出力信号及び該タッチパネル出力信号を検知しなかったとき、他の前記携帯電子装置に前記送受信要求信号及び前記携帯電子装置ＩＤ信号を送信した後、さらに画面データを送信することを特徴とする画面データ送受信システム。
【請求項２】
前記加速度センサ出力信号及び前記タッチパネル出力信号は、パルス信号であって、
前記制御部は、複数の連続する前記パルス信号を検知した後、前記所定時間が経過するまで該パルス信号を検知し続け、該所定時間が経過するまで継続して前記加速度センサ及び前記タッチパネル入力部から該パルス信号が出力されないとき、無信号状態であると判定することを特徴とする請求項１記載の画面データ送受信システム。
【請求項３】
前記制御部は、前記無線送受信部が他の前記携帯電子装置と前記画面データを送受信している間に、前記加速度センサ又は前記タッチパネル入力部から出力された前記パルス信号を検知したとき、前記無信号状態になるか否かを判定し、該無信号状態になったと判定したことに応じて、該画面データの送受信を停止することを特徴とする請求項１記載の画面データ送受信システム。
【請求項４】
前記無線信号は、他の前記携帯電子装置に対して前記画面データの送受信が可能であることを通知する送受信ＯＫ信号をさらに含み、
前記主記憶装置が、他の前記携帯電子装置の前記携帯電子装置ＩＤと関連付けて他の該携帯電子装置の携帯電子装置ＩＤ名を記憶している場合、
前記データ表示部は、前記無線送受信部が他の前記携帯電子装置から前記送受信ＯＫ信号及び前記携帯電子装置ＩＤ信号を受信したことに応じて、前記携帯電子装置ＩＤ名を表示し、
前記タッチパネル入力部は、前記データ表示部に表示された前記携帯電子装置ＩＤ名がユーザの指にタッチされたことに応じて、前記タッチパネル出力信号を出力し、
前記制御部は、前記タッチパネル出力信号を検知したことに応じて、前記無線送受信部に、前記画面データを他の前記携帯電子装置に送信させることを特徴とする請求項１記載の画面データ送受信システム。
【請求項５】
前記タッチパネル入力部は、前記データ表示部に前記携帯電子装置ＩＤ名と前記データに関連付けられたファイルフォルダアイコンとが表示されているとき、該携帯電子装置ＩＤ名及び該ファイルフォルダアイコンがユーザの指にタッチされたことに応じて、前記タッチパネル出力信号を出力し、
前記制御部は、前記タッチパネル出力信号を検知したことに応じて、前記無線送受信部に、前記ファイルフォルダアイコンに関連付けられた前記データを送信させることを特徴とする請求項４記載の画面データ送受信システム。
【請求項６】
前記タッチパネル入力部は、前記データ表示部に表示された前記携帯電子装置ＩＤ名がユーザの指にタッチされたことに応じて、前記タッチパネル出力信号を出力し、
前記データ表示部は、前記制御部が前記タッチパネル出力信号を検知したことに応じて、双方向矢印の形状をした機器伝送アイコンを表示し、
前記制御部は、前記機器伝送アイコンがユーザの指に前記双方向矢印に沿ってタッチされたことに応じて、前記無線送受信部に、前記データ表示部に表示されている全ての前記画面データを送信させることを特徴とする請求項４記載の画面データ送受信システム。
【請求項７】
前記制御部は、
前記無線送受信部が、他の前記携帯電子装置から前記送受信要求信号及び前記携帯電子装置ＩＤ信号を受信したことに応じて、該無線送受信部に前記送受信ＯＫ信号及び前記携帯電子装置ＩＤ信号を他の該携帯電子装置に送信させ、
前記データ表示部は、前記無線送受信部が前記画面データを受信したことに応じて、該画面データを表示することを特徴とする請求項４記載の画面データ送受信システム。
【請求項８】
加速度を検知する加速度センサと、ユーザの指の接触を検知するタッチパネル入力部と、データを記憶するデータ記憶部と、該データを画面データとして表示するデータ表示部と、装置全体を制御する制御部と、装置全体を制御する制御プログラム及び装置に割り当てられた一意のコンピュータＩＤを記憶する主記憶部と、無線信号を送受信する無線送受信部とを備えたコンピュータを用いて該画面データを送受信する画面データ送受信プログラムにおいて、
前記無線信号は、他の前記コンピュータに前記画面データを送受信することを要求する送受信要求信号と、他の該コンピュータに前記コンピュータＩＤを通知するコンピュータＩＤ信号であって、
前記制御部は、
前記加速度センサに、加速度を検知したことに応じて加速度センサ出力信号を出力させるステップと、
前記タッチパネル入力部に、ユーザの指の接触を検知したことに応じてタッチパネル出力信号を出力させるステップと、
前記加速度センサ出力信号及び前記タッチパネル出力信号を検知し、該加速度センサ出力信号又は該前記タッチパネル出力信号を検知した後、所定時間が経過するまで該加速度センサ出力信号及び該前記タッチパネル出力信号を検知し続けるステップと、
前記無線送受信部に、前記加速度センサ出力信号又は前記タッチパネル出力信号を検知した後、所定時間が経過するまで該加速度センサ出力信号及び該タッチパネル出力信号を検知しなかったとき、他の前記携帯電子装置に前記送受信要求信号及び前記携帯電子装置ＩＤ信号を送信させた後、さらに画面データを送信させるステップと、をコンピュータに実行させることを特徴とする画面データ送受信プログラム。
【請求項９】
前記加速度センサ出力信号及び前記タッチパネル出力信号は、パルス信号であって、
前記制御部は、複数の連続する前記パルス信号を検知した後、前記所定時間が経過するまで該パルス信号を検知し続けるステップと、該所定時間が経過するまで継続して前記加速度センサ及び前記タッチパネル入力部から該パルス信号が出力されないとき、無信号状態であると判定するステップと、をコンピュータに実行させることを特徴とする請求項８記載の画面データ送受信プログラム。
【請求項１０】
前記制御部は、前記無線送受信部に他の前記コンピュータと前記画面データを送受信させている間に、前記加速度センサ又は前記タッチパネル入力部から出力された前記パルス信号を検知したとき、前記無信号状態になるか否かを判定するステップと、該無信号状態になったと判定したことに応じて、該画面データの送受信を停止するステップと、をコンピュータに実行させることを特徴とする請求項８記載の画面データ送受信プログラム。
【請求項１１】
前記無線信号は、他の前記コンピュータに対して前記画面データの送受信が可能であることを通知する送受信ＯＫ信号をさらに含み、
前記主記憶装置が、他の前記コンピュータの前記コンピュータＩＤと関連付けて他の該コンピュータのコンピュータＩＤ名を記憶している場合、
前記制御部は、
前記データ表示部に、前記無線送受信部が他の前記コンピュータから前記送受信ＯＫ信号及び前記コンピュータＩＤ信号を受信したことに応じて、前記コンピュータＩＤ名を表示させるステップと、
前記タッチパネル入力部に、前記データ表示部に表示された前記コンピュータＩＤ名がユーザの指にタッチされたことに応じて、前記タッチパネル出力信号を出力させるステップと、
前記タッチパネル出力信号を検知したことに応じて、前記無線送受信部に、前記画面データを他の前記コンピュータに送信させるステップと、をコンピュータに実行させることを特徴とする請求項８記載の画面データ送受信プログラム。
【請求項１２】
前記制御部は、
前記タッチパネル入力部に、前記データ表示部に前記コンピュータＩＤ名と前記データに関連付けられたファイルフォルダアイコンとが表示されているとき、該コンピュータＩＤ名及び該ファイルフォルダアイコンがユーザの指にタッチされたことに応じて、前記タッチパネル出力信号を出力させるステップと、
前記タッチパネル出力信号を検知したことに応じて、前記無線送受信部に、前記ファイルフォルダアイコンに関連付けられた前記データを送信させるステップと、をコンピュータに実行させることを特徴とする請求項１１記載の画面データ送受信プログラム。
【請求項１３】
前記制御部は、
前記タッチパネル入力部に、前記データ表示部に表示された前記コンピュータＩＤ名がユーザの指にタッチされたことに応じて、前記タッチパネル出力信号を出力させるステップと、
前記データ表示部に、前記制御部が前記タッチパネル出力信号を検知したことに応じて、双方向矢印の形状をした機器伝送アイコンを表示させるステップと、
前記機器伝送アイコンがユーザの指に前記双方向矢印に沿ってタッチされたことに応じて、前記無線送受信部に、前記データ表示部に表示されている全ての前記画面データを送信させるステップと、をコンピュータに実行させることを特徴とする請求項１１記載の画面データ送受信プログラム。
【請求項１４】
前記制御部は、
前記無線送受信部が、他のコンピュータから前記送受信要求信号及び前記コンピュータＩＤ信号を受信したことに応じて、該無線送受信部に前記送受信ＯＫ信号及び前記コンピュータＩＤ信号を他の前記コンピュータに送信さるステップと、
前記データ表示部に、前記無線送受信部が前記画面データを受信したことに応じて、該画面データを表示させるステップと、をコンピュータに実行させることを特徴とする請求項１１記載の画面データ送受信プログラム。
【発明の詳細な説明】
【技術分野】
【０００１】
本発明は、タッチパネル入力部、データ表示部、データ記憶部、主記憶部、制御部及び無線送受信部を有する携帯電子装置から他のデータ表示装置へ、携帯電子装置に表示される画面データを直感的かつ簡単な操作で送受信することができる画面データ送受信システムに関する。
【背景技術】
【０００２】
近年、タッチパネルを主要な入力手段とする携帯電話、デジタルカメラ、携帯ゲーム機、ノートパソコン、タブレットパソコン、又はスマートフォン等の携帯電子装置が急速に普及している。また、ユーザが、内蔵されたタッチパネルや加速度センサ等を利用することにより、操作性が高く、直感的に情報を伝達することができる携帯電子装置が提案されている。【０００３】
例えば、携帯端末から電子掲示板にデータを転送する際、画面上の外縁部にデータアイコンをドラッグアンドドロップすることでデータを転送する技術が知られている（特許文献１参照）。【０００４】
また、例えば、携帯端末装置の表示部の外縁部でデータアイコンが解放されたことを検知することにより、送信を開始する技術が知られている（特許文献２参照）。【０００５】
さらに、例えば、２台の携帯電子装置をお互いにぶつけることによるショック（Ｂｕｍｐ）をセンサに検知させることにより、データを送信する技術が知られている（非特許文献１参照）。【０００６】
しかしながら、特許文献１及び特許文献２に示される技術においては、いずれも画面上にあるデータアイコンをドラッグするものであり、画面の小さい携帯電子装置においては、誤って多数のデータアイコンを同時にドラッグしてしまう問題があった。また、非特許文献３に示される技術おいては、２台の携帯電子装置をぶつけることから近接して使用せざるを得ないため、２台の携帯電子装置が遠く離れている場所や３台以上の携帯電子装置に対しては、データを送信できないという問題があった。
【先行技術文献】
【特許文献】
【０００７】
【特許文献１】特開２００８−２５７４４２号公報
【特許文献２】特開２０１０−２６２３３０号公報
【非特許文献】
【０００８】
【非特許文献１】“ｂｕｍｐ  ＴＥＣＨＮＯＬＯＧＩＥＳ”[平成２２年１２月２０日検索]、インターネット＜ＵＲＬ：ｈｔｔｐ：／ｂｕ．ｍｐ／＞
【発明の概要】
【発明が解決しようとする課題】
【０００９】
本発明は、上記の問題を解決するためになされたものであり、携帯電子装置に具備された小さな表示部に表示された画面データを、大きい表示部を具備する表示装置や離れた所にある他の携帯電子装置へ送信する際、タッチパネル又は加速度センサを使用した習慣的動作による極めて簡単な操作で、直接機器間の送受信を行うことができる画面データ送受信システムを提供すること目的とする。【００１０】
また、本発明は、携帯電子装置の画面データを、他の携帯電子装置に表示させる際、他の携帯電子装置の優先順位を、タッチパネル又は加速度センサを使用した習慣的動作による簡単な操作で決定することができる画面データ送受信システムを提供することを目的とする。【００１１】
さらに、本発明は、携帯電子装置の表示部にアイコンとして表示されているファイルフォルダを、他の携帯電子装置に送信する際、タッチパネル又は加速度センサを使用した習慣的な動作に基づいた極めて簡単な操作で、直接、携帯電子装置の間でデータの送受信ができる画面データ送受信システムを提供することを目的とする。
【課題を解決するための手段】
【００１２】
上記の目的を達成するために本発明は、複数の携帯電子装置を備える画面データ送受信システムにおいて、携帯電子装置は、加速度を検知する加速度センサと、ユーザの指の接触を検知するタッチパネル入力部と、データを記憶するデータ記憶部と、データを画面データとして表示するデータ表示部と、装置全体を制御する制御部と、装置全体を制御する制御プログラム及び携帯電子装置に割り当てられた一意の携帯電子装置ＩＤを記憶する主記憶部と、無線信号を送受信する無線送受信部とを備え、無線信号は、他の携帯電子装置に画面データを送受信することを要求する送受信要求信号と、他の携帯電子装置に携帯電子装置ＩＤを通知する携帯電子装置ＩＤ信号であって、加速度センサは、加速度を検知したことに応じて加速度センサ出力信号を出力し、タッチパネル入力部は、ユーザの指の接触を検知したことに応じてタッチパネル出力信号を出力し、制御部は、加速度センサ出力信号及びタッチパネル出力信号を検知し、加速度センサ出力信号又はタッチパネル出力信号を検知した後、所定時間が経過するまで加速度センサ出力信号及びタッチパネル出力信号を検知し続け、無線送受信部は、制御部が加速度センサ出力信号又はタッチパネル出力信号を検知した後、所定時間が経過するまで加速度センサ出力信号及びタッチパネル出力信号を検知しなかったとき、他の携帯電子装置に送受信要求信号及び携帯電子装置ＩＤ信号を送信した後、さらに画面データを送信する。【００１３】
本発明によれば、携帯電子装置は、加速度センサ出力信号又はタッチパネル出力信号を検知することにより、他の携帯電子装置に送受信要求信号を送信した後に画面データを送信する。これにより、ユーザは、簡単な操作で、画面データを送受信することができる。【００１４】
また、本発明は、上述の改良された発明において、加速度センサ出力信号及びタッチパネル出力信号は、パルス信号であって、制御部は、複数の連続するパルス信号を検知した後、所定時間が経過するまでパルス信号を検知し続け、所定時間が経過するまで継続して加速度センサ及びタッチパネル入力部からパルス信号が出力されないとき、無信号状態であると判定する。【００１５】
本発明によれば、携帯電子装置は、加速度センサから又はタッチパネル入力部が出力する複数の連続パルス出力信号に基づいて、他の携帯電子装置に送受信要求信号する。これにより、ユーザは、人間がドアをノックするという習慣的な動作に基づいた簡単な操作で、画面データを送受信することができる。【００１６】
また、本発明は、上述の改良された発明において、制御部は、無線送受信部が他の携帯電子装置と画面データを送受信している間に、加速度センサ又はタッチパネル入力部から出力されたパルス信号を検知したとき、無信号状態になるか否かを判定し、無信号状態になったと判定したことに応じて、画面データの送受信を停止する。【００１７】
本発明によれば、ユーザは、携帯電子装置本体を指で叩く極めて簡単な操作だけで、画面データの送受信を停止することができる。【００１８】
また、本発明は、上述の改良された発明において、無線信号は、他の携帯電子装置に対して画面データの送受信が可能であることを通知する送受信ＯＫ信号をさらに含み、主記憶装置が、他の携帯電子装置の携帯電子装置ＩＤと関連付けて他の携帯電子装置の携帯電子装置ＩＤ名を記憶している場合、データ表示部は、無線送受信部が他の携帯電子装置から送受信ＯＫ信号及び携帯電子装置ＩＤ信号を受信したことに応じて、携帯電子装置ＩＤ名を表示し、タッチパネル入力部は、データ表示部に表示された携帯電子装置ＩＤ名がユーザの指にタッチされたことに応じて、タッチパネル出力信号を出力し、制御部は、タッチパネル出力信号を検知したことに応じて、無線送受信部に、画面データを他の携帯電子装置に送信させる。【００１９】
本発明によれば、ユーザは、データ表示部に表示された携帯電子装置ＩＤ名送受信相手のＩＤ名をタッチすることで、画面データを送信したい携帯電子装置を選択する。これにより、ユーザは、人間の習慣的な動作に基づいた操作で所望する携帯電子装置と画面データを送受信することができる。【００２０】
また、本発明は、上述の改良された発明において、タッチパネル入力部は、データ表示部に携帯電子装置ＩＤ名とデータに関連付けられたファイルフォルダアイコンとが表示されているとき、携帯電子装置ＩＤ名及びファイルフォルダアイコンがユーザの指にタッチされたことに応じて、タッチパネル出力信号を出力し、制御部は、タッチパネル出力信号を検知したことに応じて、無線送受信部に、ファイルフォルダアイコンに関連付けられたデータを送信させる。【００２１】
本発明によれば、ユーザは、携帯電子装置ＩＤ名とファイルフォルダアイコンを指でタッチするだけで、ファイルフォルダアイコンに関連付けられたデータを所望する携帯電子装置に送信することができる。【００２２】
また、本発明は、上述の改良された発明において、タッチパネル入力部は、データ表示部に表示された携帯電子装置ＩＤ名がユーザの指にタッチされたことに応じて、タッチパネル出力信号を出力し、データ表示部は、制御部がタッチパネル出力信号を検知したことに応じて、双方向矢印の形状をした機器伝送アイコンを表示し、制御部は、機器伝送アイコンがユーザの指に双方向矢印に沿ってタッチされたことに応じて、無線送受信部に、データ表示部に表示されている全ての画面データを送信させる。【００２３】
本発明によれば、ユーザは、指で携帯電子装置ＩＤ名をタッチした後、機器伝送アイコンを横滑りタッチすることにより、画像データを所望する携帯電子装置に送信することができる。横滑りタッチは、人間が他人に紙を手渡す動作に類似しているため、ユーザは、直感的で簡単な操作で画像データを送信することができる。【００２４】
また、本発明は、上述の改良された発明において、制御部は、無線送受信部が、他の携帯電子装置から送受信要求信号及び携帯電子装置ＩＤ信号を受信したことに応じて、無線送受信部に送受信ＯＫ信号及び携帯電子装置ＩＤ信号を他の携帯電子装置に送信させ、データ表示部は、無線送受信部が画面データを受信したことに応じて、画面データを表示する。【００２５】
本発明によれば、小さなデータ表示部を具備する携帯電子装置は、画面データを大きなデータ表示部を具備する携帯電子装置に送信する。これにより、ユーザは、小さなデータ表示部に表示された画面データを大きなデータ表示部に表示させることができる。【００２６】
また、本発明は、上述の改良された発明において、加速度を検知する加速度センサと、ユーザの指の接触を検知するタッチパネル入力部と、データを記憶するデータ記憶部と、データを画面データとして表示するデータ表示部と、装置全体を制御する制御部と、装置全体を制御する制御プログラム及び装置に割り当てられた一意のコンピュータＩＤを記憶する主記憶部と、無線信号を送受信する無線送受信部とを備えたコンピュータを用いて画面データを送受信する画面データ送受信プログラムにおいて、無線信号は、他のコンピュータに画面データを送受信することを要求する送受信要求信号と、他のコンピュータにコンピュータＩＤを通知するコンピュータＩＤ信号であって、制御部は、加速度センサに、加速度を検知したことに応じて加速度センサ出力信号を出力させるステップと、タッチパネル入力部に、ユーザの指の接触を検知したことに応じてタッチパネル出力信号を出力させるステップと、加速度センサ出力信号及びタッチパネル出力信号を検知し、加速度センサ出力信号又はタッチパネル出力信号を検知した後、所定時間が経過するまで加速度センサ出力信号及びタッチパネル出力信号を検知し続けるステップと、無線送受信部に、加速度センサ出力信号又はタッチパネル出力信号を検知した後、所定時間が経過するまで加速度センサ出力信号及びタッチパネル出力信号を検知しなかったとき、他の携帯電子装置に送受信要求信号及び携帯電子装置ＩＤ信号を送信させた後、さらに画面データを送信させるステップと、をコンピュータに実行させる。【００２７】
本発明によれば、コンピュータは、加速度センサ出力信号又はタッチパネル出力信号を検知することにより、他のコンピュータに送受信要求信号を送信した後に画面データを送信する。これにより、ユーザは、簡単な操作で、画面データを送受信することができる。【００２８】
また、本発明は、上述の改良された発明において、加速度センサ出力信号及びタッチパネル出力信号は、パルス信号であって、制御部は、複数の連続するパルス信号を検知した後、所定時間が経過するまでパルス信号を検知し続けるステップと、所定時間が経過するまで継続して加速度センサ及びタッチパネル入力部からパルス信号が出力されないとき、無信号状態であると判定するステップと、をコンピュータに実行させる。【００２９】
本発明によれば、コンピュータは、加速度センサから又はタッチパネル入力部が出力する複数の連続パルス出力信号に基づいて、他のコンピュータに送受信要求信号する。これにより、ユーザは、人間がドアをノックするという習慣的な動作に基づいた簡単な操作で、画面データを送受信することができる。【００３０】
また、本発明は、上述の改良された発明において、制御部は、無線送受信部に他のコンピュータと画面データを送受信させている間に、加速度センサ又はタッチパネル入力部から出力されたパルス信号を検知したとき、無信号状態になるか否かを判定するステップと、無信号状態になったと判定したことに応じて、画面データの送受信を停止するステップと、をコンピュータに実行させる。【００３１】
本発明によれば、ユーザは、コンピュータ本体を指で叩く極めて簡単な操作だけで、画面データの送受信を停止することができる。【００３２】
また、本発明は、上述の改良された発明において、無線信号は、他のコンピュータに対して画面データの送受信が可能であることを通知する送受信ＯＫ信号をさらに含み、主記憶装置が、他のコンピュータのコンピュータＩＤと関連付けて他のコンピュータのコンピュータＩＤ名を記憶している場合、制御部は、データ表示部に、無線送受信部が他のコンピュータから送受信ＯＫ信号及びコンピュータＩＤ信号を受信したことに応じて、コンピュータＩＤ名を表示させるステップと、タッチパネル入力部に、データ表示部に表示されたコンピュータＩＤ名がユーザの指にタッチされたことに応じて、タッチパネル出力信号を出力させるステップと、タッチパネル出力信号を検知したことに応じて、無線送受信部に、画面データを他のコンピュータに送信させるステップと、をコンピュータに実行させる。【００３３】
本発明によれば、ユーザは、データ表示部に表示されたコンピュータＩＤ名送受信相手のＩＤ名をタッチすることで、画面データを送信したいコンピュータを選択する。これにより、ユーザは、人間の習慣的な動作に基づいた操作で所望するコンピュータと画面データを送受信することができる。【００３４】
また、本発明は、上述の改良された発明において、制御部は、タッチパネル入力部に、データ表示部にコンピュータＩＤ名とデータに関連付けられたファイルフォルダアイコンとが表示されているとき、コンピュータＩＤ名及びファイルフォルダアイコンがユーザの指にタッチされたことに応じて、タッチパネル出力信号を出力させるステップと、タッチパネル出力信号を検知したことに応じて、無線送受信部に、ファイルフォルダアイコンに関連付けられたデータを送信させるステップと、をコンピュータに実行させる。【００３５】
本発明によれば、ユーザは、コンピュータＩＤ名とファイルフォルダアイコンを指でタッチするだけで、ファイルフォルダアイコンに関連付けられたデータを所望するコンピュータに送信することができる。【００３６】
また、本発明は、上述の改良された発明において、制御部は、タッチパネル入力部に、データ表示部に表示されたコンピュータＩＤ名がユーザの指にタッチされたことに応じて、タッチパネル出力信号を出力させるステップと、データ表示部に、制御部がタッチパネル出力信号を検知したことに応じて、双方向矢印の形状をした機器伝送アイコンを表示させるステップと、機器伝送アイコンがユーザの指に双方向矢印に沿ってタッチされたことに応じて、無線送受信部に、データ表示部に表示されている全ての画面データを送信させるステップと、をコンピュータに実行させる。【００３７】
本発明によれば、ユーザは、指でコンピュータＩＤ名をタッチした後、機器伝送アイコンを横滑りタッチすることにより、画像データを所望するコンピュータに送信することができる。横滑りタッチは、人間が他人に紙を手渡す動作に類似しているため、ユーザは、直感的で簡単な操作で画像データを送信することができる。【００３８】
また、本発明は、上述の改良された発明において、制御部は、無線送受信部が、他のコンピュータから送受信要求信号及びコンピュータＩＤ信号を受信したことに応じて、無線送受信部に送受信ＯＫ信号及びコンピュータＩＤ信号を他のコンピュータに送信さるステップと、データ表示部に、無線送受信部が画面データを受信したことに応じて、画面データを表示させるステップと、をコンピュータに実行させる。【００３９】
本発明によれば、小さなデータ表示部を具備するコンピュータは、画面データを大きなデータ表示部を具備するコンピュータに送信する。これにより、ユーザは、小さなデータ表示部に表示された画面データを大きなデータ表示部に表示させることができる。
【図面の簡単な説明】
【００４０】
【図１】本発明の実施形態に係る画面データ送受信システムの構成図。
【図２】本実施形態に係る携帯電子装置の構成図。
【図３】本実施形態に係る大型画面データ表示装置の構成図。
【図４】本実施形態に係る携帯電子装置の外観構成図。
【図５】（ａ）（ｂ）は本実施形態に係るタッチパネル出力信号及び加速度センサ出力信号の一例を示す図。
【図６】本実施形態に係る画面データ送受信システムにおけるデータ送受信処理のフローチャート。
【符号の説明】
【００４１】
１  画面データ送受信システム
２  携帯電子装置
９  タッチパネル入力部
１１  加速度センサ
１５  データ表示部
１７  ＣＰＵ（制御部）
１８  データ記憶部
１９  制御プログラム
２１  主記憶部
２３  無線送受信部
２７  指
３１  ファイルフォルダアイコン
３３  機器伝送アイコン
３５  タッチパネル出力信号
３６  加速度センサ出力信号
３７  送受信要求信号
３８  携帯電子装置ＩＤ信号
３９  携帯電子装置ＩＤ信号
４０  送受信ＯＫ信号
４１  画面データ
【発明を実施するための形態】
【００４２】
以下、本発明の実施形態に係る画面データ送受信システム１について、図面を参照して説明する。図１は、本発明の実施形態に係る画面データ送受信システム１の構成を示す。画面データ送受信システム１は、複数の携帯電子装置２乃至４と、大型画面データ表示装置５とを備える。ここで、携帯電子装置２乃至４とは、例えば、携帯電話、デジタルカメラ、携帯ゲーム機、ノートパソコン、タブレットパソコン、又はスマートフォンである。また、大型画面データ表示装置５とは、例えば、大型デジタルテレビ、デジタルフォトフレーム、又は大型スクリーンにデータが投影されるプロジェクタ等である。
【００４３】
大型画面データ表示装置５は、その外部に無線信号６を送受信するアンテナ７及び無線送受信装置８を備える。携帯電子装置２乃至４は、大型画面データ表示装置５に対して、それぞれ無線信号６を送受信することにより、直接、データを送受信する。また、携帯電子装置２乃至４は、互いに無線信号６を送受信することにより、直接、データを送受信する。
【００４４】
図２は、本実施形態に係る携帯電子装置２の構成を示す。ここで、本実施形態に係る携帯電子装置２乃至４は、同じ構成である。携帯電子装置２は、文字や命令が入力されるタッチパネル入力部９と、タッチパネル入力部９を制御するタッチパネル入力制御部１０と、ユーザによって携帯電子装置２が移動又は振動させられたことにより生じる加速度を検知する加速度センサ１１と、加速度センサ１１を制御する加速度センサ制御部１２と、カメラ撮像部１３を制御するカメラ撮像制御部１４と、データを表示するデータ表示部１５と、データ表示部１５を制御するデータ表示制御部１６と、携帯電子装置２全体を制御するＣＰＵ１７（制御部）と、データを記憶するデータ記憶部１８と、携帯電子装置２全体を制御する制御プログラム１９及び携帯電子装置ＩＤテーブル２０を記憶する主記憶部２１と、無線信号６を送受信するアンテナ２２と、アンテナ２２に無線信号６を送受信させ、無線信号６の内容を判別する無線送受信部２３と、無線送受信部２３を制御する無線送受信制御部２４とを備え、これらは、バス２５に接続されている。
【００４５】
携帯電子装置ＩＤテーブル２０は、携帯電子装置２に割り当てられた一意の携帯電子装置ＩＤと、例えば、携帯電子装置３又は４等の他の携帯電子装置に割り当てられた一意の携帯電子装置ＩＤとを記憶する。また、携帯電子装置ＩＤテーブル２０は、他の携帯電子装置に付与された携帯電子装置ＩＤ名と携帯電子装置ＩＤとを関連付けて記憶する。携帯電子装置ＩＤ名とは、予め設定された携帯電子装置２乃至４のユーザの名前である。アンテナ２２は、携帯電子装置２に内蔵されている。無線送受信部２３の通信方式は、例えば、Ｗｉ−Ｆｉ（ＩＥＥＥ８０２．１１ｂ／ｇ）又はＢｌｕｅｔｏｏｔｈ（ＩＥＥＥ８１２．１５．１）等である。ＣＰＵ１７は、タッチパネル入力部９、加速度センサ１１、カメラ撮像部１３、又は無線送受信部２３を介して入力されたデータを加工処理した後、データ記憶部１８に格納するとともに、データ表示部１５に表示させる。
【００４６】
図３は、本実施形態に係る大型画面データ表示装置５の構成を示す。大型画面データ表示装置５は、携帯電子装置２と同様にデータ表示部１５と、データ表示制御部１６と、ＣＰＵ１７（制御部）と、データ記憶部１８と、制御プログラム１９及び携帯電子装置ＩＤテーブル２０を記憶する主記憶部２１とを備え、これらは、バス２５に接続されている。また、大型画面データ表示装置５は、外付けされたアンテナ７及び無線送受信装置８を備える。無線送受信装置８は、バス２５に接続された無線送受信部２３及び無線送受信制御部２４を備える。
【００４７】
図４は、本実施形態に係る携帯電子装置２の外観を示す。ここで、本実施形態に係る携帯電子装置２乃至４は、同じ外観である。携帯電子装置２は、長方形の筐体２６の前面に、ユーザの指２７による接触を検知するタッチパネル入力部９と、携帯電子装置２に対して命令を与えるホームボタン２８とを備え、タッチパネル入力部９の背面には、データ表示部１５が配置される。筐体２６は、側部に携帯電子装置２に電源を供給する電源スイッチ２９を備え、上部にカメラ撮像部１３を起動させるシャッター３０を備える。携帯電子装置２は、十字キー、トラックボール、決定キー等を筐体２６に具備せず、必要に応じて、データ表示部１５に表示させる。これにより、携帯電子装置２は、筐体２６におけるデータ表示部１５の面積を広くすることができる。データ表示部１５は、電源スイッチ２９が投入された後、ホームボタン２８が押下されたことに応じて、複数のファイルフォルダアイコン３１を並べて表示する。
【００４８】
また、データ表示部１５は、携帯電子装置ＩＤテーブル２０に記憶された携帯電子装置ＩＤ名３２と、データを送受信するための機器伝送アイコン３３を表示する。ここで、「マリ」、「エンゾー」、及び「Ｓｔｅｖｅ」と表示される携帯電子装置ＩＤ名３２は、それぞれ、大型画面データ表示装置５、携帯電子装置３、及び携帯電子装置４の携帯電子装置ＩＤに関連付けられているものとする。機器伝送アイコン３３は、双方向矢印形状であり、その上方、右側、及び左側には、それぞれ「機器伝送」、「送信」、及び「受信」の注釈文字３４が表示される。携帯電子装置２は、機器伝送アイコン３３の近傍に加速度センサ１１を内蔵する。ユーザは、データ表示部１５の表示内容に基づいて、指２７によりタッチパネル入力部９に対して押す、叩く、撫でる、こする、摘まむ等の多様なタッチ動作を行う。ＣＰＵ１７は、タッチパネル入力部９に対して行われたタッチ動作に基づいて処理を行う。これにより、ユーザは、人間の習慣的な動作に基づいた簡単な操作で、データを送受信することができる。
【００４９】
次に、携帯電子装置２のデータ表示部１５に表示されたデータを、大型画面データ表示装置５に表示させる方法について説明する。携帯電子装置２は、指２７によって、機器伝送アイコン３３がノックされ、大型画面データ表示装置の携帯電子装置ＩＤ名３２である「マリ」がタッチされる。これにより、携帯電子装置２は、大型画面データ表示装置５とのデータの送受信の準備を完了する。機器伝送アイコン３３が、指２７によって左から右方向に沿って横滑りタッチがされると、ＣＰＵ１７は、無線送受信部２３に、データ表示部１５に表示されている全てのデータを、無線送受信装置８を備える大型画面データ表示装置５に送信させる。大型画面データ表示装置５のＣＰＵ１７は、必要に応じて、携帯電子装置２のデータ表示部１５に表示されたデータを、ＨＤＭＩ信号に変更する。また、大型画面データ表示装置５のＣＰＵ１７は、大型画面データ表示装置５のデータ表示部１５の画面サイズに適合するように、受信したデータのアスペクト比を調整する。これにより、大型画面データ表示装置５のデータ表示部１５は、受信したデータを適切に表示することができる。
【００５０】
このように、ユーザは、携帯電子装置２に対して、指２７によって、機器伝送アイコン３３をノック、携帯電子装置ＩＤ名３２をタッチ、及び機器伝送アイコン３３を横滑りタッチする極めて簡単で自然な３動作で、データを送信することができる。横滑りタッチは、人が紙を手渡す際の動作に似た自然な動作である。ユーザは、携帯電子装置２の小さなデータ表示部１５のデータを、デジタルテレビ等の大型画面データ表示装置５の大きなデータ表示部１５で鑑賞することができる。また、データ表示部１５が大型プロジェクタである場合、ユーザは、小さな携帯電子装置２のデータを大きな画面に投影することにより、多くの人にプレゼンテーションや講義をすることができる。
【００５１】
次に、携帯電子装置２のデータ表示部１５に表示されたファイルフォルダアイコン３１に保持された写真を携帯電子装置３に送信する方法について説明する。ユーザが、指２７で携帯電子装置２の筐体２６をノックすることにより、加速度センサ１１は、ノックされたことを検知する。このとき、タッチパネル入力部９は、指２７にタッチされていないので、タッチパネル入力部９は、タッチされたことを検知しない。データ表示部１５は、筐体２６がノックされたことに応じて、データを送信することができる複数の携帯電子装置ＩＤ名３２を表示する。ここで、例えば、指２７によって、携帯電子装置ＩＤ名３２
として「エンゾー」がタッチされると、データ表示部１５は、機器伝送アイコン３３及び注釈文字３４を画面の右下に表示する。ファイルフォルダアイコン３１が、指２７にタッチされ、機器伝送アイコン３３が、指２７によって左から右方向に沿って横滑りタッチがされると、ＣＰＵ１７は、無線送受信部２３に、ファイルフォルダアイコン３１に保持された写真を携帯電子装置３に送信させる。ここで、ファイルフォルダアイコン３１に保持された写真は、データ記憶部１８に記憶されているものとし、携帯電子装置３は、写真を保持するフォルダを受信するものとする。
【００５２】
このように、ユーザは、携帯電子装置２に対して、指２７によって、筐体２６をノック、携帯電子装置ＩＤ名３２をタッチ、ファイルフォルダアイコン３１をタッチ、及び機器伝送アイコン３３を横滑りタッチする極めて簡単で自然な４動作で、データを送信することができる。これにより、画面データ送受信システム１は、大量の画像ファイルを含む画像フォルダを一括して他の携帯電子装置、デジタルフォトフレーム、デジタルテレビ、又は大型画像プロジェクタ等に送信することができる。なお、画面データ送受信システム１は、写真を保持したフォルダの他に、音楽、動画、書籍等の大容量コンテンツも送受信可能である。
【００５３】
次に、データの送受信を停止する方法について説明する。携帯電子装置２が、携帯電子装置３に対してデータを送信している最中に、携帯電子装置２の筐体２６が指２７によって１回又は複数回ノックされると、ＣＰＵ１７は、データの送信を停止する。これにより、ユーザは、容易にデータの送信を停止することができる。
【００５４】
次に、タッチパネル入力部９及び加速度センサ１１が出力するタッチパネル出力信号及び加速度センサ出力信号について説明する。図５（ａ）（ｂ）は、本実施形態に係るタッチパネル出力信号３５及び加速度センサ出力信号３６の一例を示す。図５（ａ）は、タッチパネル出力信号３５の一例を示し、図５（ｂ）は、加速度センサ出力信号３６の一例を示す。図５（ａ）（ｂ）は、機器伝送アイコン３３が指２７によって、３回連続してノックされたときのタッチパネル出力信号３５及び加速度センサ出力信号３６の状態を示している。ここで、タッチパネル出力信号３５及び加速度センサ出力信号３６は、複数の連続したパルス信号である。図５（ａ）において、機器伝送アイコン３３が指２７によって、３回連続してノックされると、タッチパネル入力部９は、タッチパネル出力信号３５を出力する。タッチパネル入力部９は、１回目、２回目、及び３回目のノックに応じて、それぞれタッチパネル出力信号３５ａ、３５ｂ、及び３５ｃを出力する。
【００５５】
１回目のノックと２回目のノック、及び２回目のノックと３回目のノックとの時間間隔を時間間隔Ｔ１とする。ここで、時間間隔Ｔ１は、等間隔であり、例えば、１秒以下である。ノック時間Ｔ２は、１回目のノックから３回目のノックまでの時間であり、ノック時間Ｔ２＝時間間隔Ｔ１＋時間間隔Ｔ１である。これより、ノック時間Ｔ２は、２秒以下となる。ここで、ＣＰＵ１７は、タッチパネル入力部９が１秒以内に２回以上タッチパネル出力信号３５を出力した後、所定時間Ｔ４が経過するまでの間に、タッチパネル入力部９がタッチパネル出力信号３５するか否かを判定する。ここで、ＣＰＵ１７が、３回目のタッチパネル出力信号３５ｃを検知してから、所定時間Ｔ４が経過するまでの間に、タッチパネル出力信号３５を検知しない状態を無信号状態とする。
【００５６】
タッチパネル入力部９が１回目にタッチパネル出力信号３５ａを出力したときから、所定時間Ｔ４が経過するまでの時間を時間Ｔ３とする。ここで、時間Ｔ３は、例えば、４秒である。よって、所定時間Ｔ４は、時間Ｔ３−ノック時間Ｔ２となり２秒以上となる。ＣＰＵ１７は、１秒以内に２回以上タッチパネル出力信号３５を検知した後、１回目のタッチパネル出力信号３５ａを検知してから時間Ｔ３が経過するか、又は無信号状態であると判定したとき、タッチパネル入力部９を介してノック命令が入力されたと判断する。ＣＰＵ１７は、ノック命令が入力されたことに応じて、データの送受信を行う。
【００５７】
なお、ＣＰＵ１７は、３回ではなく１回のノックによるタッチパネル出力信号３５及び加速度センサ出力信号３６に基づいて、ノック命令が入力されたことを判断しても良い。通常、パルス信号であるタッチパネル出力信号３５及び加速度センサ出力信号３６のパルス幅時間は、３０ミリ秒前後である。このことから、タッチパネル出力信号３５及び加速度センサ出力信号３６のパルス幅時間が１００ミリ秒以下と設定されることにより、ＣＰＵ１７は、１回のノックであっても、ノック命令が入力されたか否かを判断することができる。また、ＣＰＵ１７は、データを送信している最中に、筐体２６が指２７にノックされると、データの送受信を停止する。このとき、加速度センサ１１は、１００ミリ秒以下の短いパルス信号である加速度センサ出力信号３６を出力する。ＣＰＵ１７は、加速度センサ出力信号３６を検知し、その後無信号状態であると判定することにより、データの送受信を停止する。
【００５８】
図５（ｂ）において、機器伝送アイコン３３が指２７によって、３回連続してノックされると、加速度センサ１１は、加速度センサ出力信号３６を出力する。加速度センサ１１は、１回目、２回目、及び３回目のノックに応じて、それぞれ加速度センサ出力信号３６ａ、３６ｂ、及び３６ｃを出力する。ＣＰＵ１７は、タッチパネル出力信号３５と同様の判定を加速度センサ出力信号３６について行うことにより、タッチパネル入力部９を介してノック命令が入力されたか否かを判断する。これにより、ＣＰＵ１７は、タッチパネル出力信号３５と加速度センサ出力信号３６のいずれか一方、又は両方に基づいて、データの送受信を行うことができる。
【００５９】
次に、携帯電子装置２と携帯電子装置３が、データを送受信する手順について説明する。図６は、画面データ送受信システム１におけるデータ送受信処理のフローを示す。携帯電子装置２のＣＰＵ１７は、機器伝送アイコン３３が指２７によってノックされたことに応じて、タッチパネル出力信号３５又は加速度センサ出力信号３６を検知する（Ｓ１０１）。携帯電子装置２は、指２７によってノックされたことに応じて、データの送受信を開始する。ここで、機器伝送アイコン３３は、複数回、ノックされることが望ましく、具体的には、例えば、２〜３回である。指２７によるノックは、人間がドアをノックして入室許可を求める習慣に根差した極めて直感的かつ簡単な動作である。これにより、ユーザは、容易かつ馴染みのある操作でデータの送受信を開始することができる。
【００６０】
次に、ＣＰＵ１７は、無信号状態であるか否かを判定する（Ｓ１０２）。ＣＰＵ１７は、無信号状態であると判定することにより、ノック命令が入力されたと判断する。ＣＰＵ１７は、ノック命令が入力されたと判断したことに応じて、無線送受信部２３に、携帯電子装置３に対して送受信要求信号３７及び携帯電子装置ＩＤ信号３８を送信させる（Ｓ１０３）。ここで、送受信要求信号３７は、携帯電子装置３に対してデータの送受信を要求する信号であり、携帯電子装置ＩＤ信号３８は、携帯電子装置２に割り当てられた携帯電子装置ＩＤを通知する信号である。
【００６１】
携帯電子装置３は、送受信要求信号３７及び携帯電子装置ＩＤ信号３８を受信することにより（Ｓ１０４）、携帯電子装置２がデータの送受信を要求していることを知ることができる。携帯電子装置３のＣＰＵ１７は、携帯電子装置２とデータの送受信を開始するとき、無線送受信部２３に、携帯電子装置２に対して携帯電子装置ＩＤ信号３９及び送受信ＯＫ信号４０を送信させる（Ｓ１０５）。ここで、携帯電子装置ＩＤ信号３９は、携帯電子装置３に割り当てられた携帯電子装置ＩＤを通知する信号であり、送受信ＯＫ信号４０は、携帯電子装置２に対してデータの送受信が可能であることを通知する信号である。
【００６２】
携帯電子装置２は、携帯電子装置ＩＤ信号３９及び送受信ＯＫ信号４０を受信することにより（Ｓ１０６）、携帯電子装置３とデータの送受信が可能であることを知ることができる。次に、携帯電子装置２のＣＰＵ１７は、携帯電子装置ＩＤテーブル２０から、携帯電子装置ＩＤ信号３９に関連付けられた携帯電子装置ＩＤ名３２を取得し、データ表示部１５に携帯電子装置ＩＤ名３２を表示させる（Ｓ１０７）。データ表示部１５に表示された携帯電子装置ＩＤ名３２が、指２７によってタッチされると、ＣＰＵ１７は、タッチパネル出力信号３５を検知することにより、ユーザによって選択された携帯電子装置ＩＤ名３２を特定する（Ｓ１０８）。次に、ＣＰＵ１７は、無線送受信部２３に、携帯電子装置３に対して画面データ４１を送信させる（Ｓ１０９）。ここで、画面データ４１とは、データ表示部１５に表示されたデータ又はデータ表示部１５に表示されたファイルフォルダアイコン３１に関連付けられたデータである。ファイルフォルダアイコン３１に関連付けられたデータは、データ記憶部１８に記憶されているものとする。携帯電子装置３が、画面データ４１を受信することにより（Ｓ１１０）、画面データ送受信システム１は、データ送受信処理を終了する。
【００６３】
このように、画面データ送受信システム１は、携帯電子装置２乃至４及び大型画面データ表示装置５が、指２７によってノック又はタッチされることにより、画面データ４１を送受信する相手を特定することができる。さらに、画面データ送受信システム１は、携帯電子装置２乃至４及び大型画面データ表示装置５の間で画面データ４１を送受信することができる。指２７によるノック又はタッチは、人間の習慣に根差した極めて直感的かつ簡単な動作であるため、ユーザは、感覚的に携帯電子装置２乃至４及び大型画面データ表示装置５を操作することができる。
【００６４】
なお、本発明は、上記実施形態の構成に限られず、種々の変形が可能であり、
携帯電子装置２乃至４及び大型画面データ表示装置５は、マイク、スピーカ、メモリカード端子、又は有線通信端子等をさらに備える構成であっても構わない。また、携帯電子装置２乃至４及び大型画面データ表示装置５は、タッチパネル入力部９及び加速度センサ１１を備える構成ではなく、タッチパネル入力部９又は加速度センサ１１のいずれか一方のみを備える構成であっても構わない。
【図１】
2012090296.tif 000003
【図２】
2012090296.tif 000004
【図３】
2012090296.tif 000005
【図４】
2012090296.tif 000006
【図５】
2012090296.tif 000007
【図６】
2012090296.tif 000008
【手続補正書】
【提出日】平成25年3月15日(2013.3.15)
【手続補正１】
【補正対象書類名】特許請求の範囲
【補正対象項目名】全文
【補正方法】変更
【補正の内容】
【特許請求の範囲】
【請求項１】
複数の携帯電子装置を備える画面データ送受信システムにおいて、
前記携帯電子装置は、加速度を検知する加速度センサと、ユーザの指の接触を検知するタッチパネル入力部と、データを記憶するデータ記憶部と、該データを画面データとして表示するデータ表示部と、装置全体を制御する制御部と、装置全体を制御する制御プログラム及び該携帯電子装置に割り当てられた一意の携帯電子装置ＩＤを記憶する主記憶部と、無線信号を送受信する無線送受信部とを備え、
前記無線信号は、他の前記携帯電子装置に前記画面データを送受信することを要求する送受信要求信号と、他の該携帯電子装置に前記携帯電子装置ＩＤを通知する携帯電子装置ＩＤ信号であって、
前記加速度センサは、加速度を検知したことに応じて加速度センサ出力信号を出力し、
前記タッチパネル入力部は、ユーザの指の接触を検知したことに応じてタッチパネル出力信号を出力し、
前記加速度センサ出力信号及び前記タッチパネル出力信号は、パルス信号であって、
前記制御部は、前記パルス信号を検知したことに応じて、所定時間が経過するまで該パルス信号を検知し続け、該所定時間が経過するまで継続して前記加速度センサ及び前記タッチパネル入力部から該パルス信号が出力されないとき、無信号状態であると判定し、
前記無線送受信部は、前記制御部が前記無信号状態であると判定したとき、他の前記携帯電子装置に前記送受信要求信号及び前記携帯電子装置ＩＤ信号を送信した後、さらに画面データを送信することを特徴とする画面データ送受信システム。
【請求項２】
前記制御部は、前記無線送受信部が他の前記携帯電子装置と前記画面データを送受信している間に、前記加速度センサ又は前記タッチパネル入力部から出力された前記パルス信号を検知したとき、前記無信号状態になるか否かを判定し、該無信号状態になったと判定したことに応じて、該画面データの送受信を停止することを特徴とする請求項１記載の画面データ送受信システム。
【請求項３】
前記無線信号は、他の前記携帯電子装置に対して前記画面データの送受信が可能であることを通知する送受信ＯＫ信号をさらに含み、
前記主記憶装置が、他の前記携帯電子装置の前記携帯電子装置ＩＤと関連付けて他の該携帯電子装置の携帯電子装置ＩＤ名を記憶している場合、
前記データ表示部は、前記無線送受信部が他の前記携帯電子装置から前記送受信ＯＫ信号及び前記携帯電子装置ＩＤ信号を受信したことに応じて、前記携帯電子装置ＩＤ名を表示し、
前記タッチパネル入力部は、前記データ表示部に表示された前記携帯電子装置ＩＤ名がユーザの指にタッチされたことに応じて、前記タッチパネル出力信号を出力し、
前記制御部は、
前記タッチパネル出力信号を検知したことに応じて、前記データ表示部に双方向矢印の形状をした機器伝送アイコンを表示させ、
前記機器伝送アイコンがユーザの指に前記双方向矢印に沿ってタッチされたことに応じて、前記無線送受信部に、前記データ表示部に表示されている全ての前記画面データを送信させることを特徴とする請求項１記載の画面データ送受信システム。
【請求項４】
加速度を検知する加速度センサと、ユーザの指の接触を検知するタッチパネル入力部と、データを記憶するデータ記憶部と、該データを画面データとして表示するデータ表示部と、装置全体を制御する制御部と、装置全体を制御する制御プログラム及び装置に割り当てられた一意のコンピュータＩＤを記憶する主記憶部と、無線信号を送受信する無線送受信部とを備えたコンピュータを用いて該画面データを送受信させるための画面データ送受信プログラムにおいて、
前記無線信号は、他の前記コンピュータに前記画面データを送受信することを要求する送受信要求信号と、他の該コンピュータに前記コンピュータＩＤを通知するコンピュータＩＤ信号であって、
前記制御部は、
前記加速度センサに、加速度を検知したことに応じて加速度センサ出力信号を出力させるステップと、
前記タッチパネル入力部に、ユーザの指の接触を検知したことに応じてタッチパネル出力信号を出力させるステップと、
前記加速度センサ出力信号及び前記タッチパネル出力信号は、パルス信号であって、該パルス信号を検知したことに応じて、所定時間が経過するまで該パルス信号を検知し続け、該所定時間が経過するまで継続して前記加速度センサ及び前記タッチパネル入力部から該パルス信号が出力されないとき、無信号状態であると判定するステップと、
該無信号状態であると判定したとき、前記無線送受信部に、他の前記携帯電子装置に前記送受信要求信号及び前記携帯電子装置ＩＤ信号を送信させた後、さらに画面データを送信させるステップと、をコンピュータに実行させることを特徴とする画面データ送受信プログラム。
【請求項５】
前記制御部は、前記無線送受信部に他の前記コンピュータと前記画面データを送受信させている間に、前記加速度センサ又は前記タッチパネル入力部から出力された前記パルス信号を検知したとき、前記無信号状態になるか否かを判定するステップと、該無信号状態になったと判定したことに応じて、該画面データの送受信を停止するステップと、をコンピュータに実行させることを特徴とする請求項４記載の画面データ送受信プログラム。
【請求項６】
前記無線信号は、他の前記コンピュータに対して前記画面データの送受信が可能であることを通知する送受信ＯＫ信号をさらに含み、
前記主記憶装置が、他の前記コンピュータの前記コンピュータＩＤと関連付けて他の該コンピュータのコンピュータＩＤ名を記憶している場合、
前記制御部は、
前記データ表示部に、前記無線送受信部が他の前記コンピュータから前記送受信ＯＫ信号及び前記コンピュータＩＤ信号を受信したことに応じて、前記コンピュータＩＤ名を表示させるステップと、
前記タッチパネル入力部に、前記データ表示部に表示された前記コンピュータＩＤ名がユーザの指にタッチされたことに応じて、前記タッチパネル出力信号を出力させるステップと、
前記タッチパネル出力信号を検知したことに応じて、該データ表示部に双方向矢印の形状をした機器伝送アイコンを表示させるステップと、
前記機器伝送アイコンがユーザの指に前記双方向矢印に沿ってタッチされたことに応じて、前記無線送受信部に、前記データ表示部に表示されている全ての前記画面データを送信させるステップと、をコンピュータに実行させることを特徴とする請求項４記載の画面データ送受信プログラム。
【手続補正２】
【補正対象書類名】明細書
【補正対象項目名】００１２
【補正方法】変更
【補正の内容】
【００１２】
上記の目的を達成するために本発明は、複数の携帯電子装置を備える画面データ送受信システムにおいて、携帯電子装置は、加速度を検知する加速度センサと、ユーザの指の接触を検知するタッチパネル入力部と、データを記憶するデータ記憶部と、データを画面データとして表示するデータ表示部と、装置全体を制御する制御部と、装置全体を制御する制御プログラム及び携帯電子装置に割り当てられた一意の携帯電子装置ＩＤを記憶する主記憶部と、無線信号を送受信する無線送受信部とを備え、無線信号は、他の携帯電子装置に画面データを送受信することを要求する送受信要求信号と、他の携帯電子装置に携帯電子装置ＩＤを通知する携帯電子装置ＩＤ信号であって、加速度センサは、加速度を検知したことに応じて加速度センサ出力信号を出力し、タッチパネル入力部は、ユーザの指の接触を検知したことに応じてタッチパネル出力信号を出力し、加速度センサ出力信号及びタッチパネル出力信号は、パルス信号であって、制御部は、パルス信号を検知したことに応じて、所定時間が経過するまでパルス信号を検知し続け、所定時間が経過するまで継続して加速度センサ及びタッチパネル入力部からパルス信号が出力されないとき、無信号状態であると判定し、無線送受信部は、制御部が無信号状態であると判定したとき、他の携帯電子装置に送受信要求信号及び携帯電子装置ＩＤ信号を送信した後、さらに画面データを送信する。
【手続補正３】
【補正対象書類名】明細書
【補正対象項目名】００１３
【補正方法】変更
【補正の内容】
【００１３】
本発明によれば、携帯電子装置は、加速度センサ出力信号又はタッチパネル出力信号を検知することにより、他の携帯電子装置に送受信要求信号を送信した後に画面データを送信する。これにより、ユーザは、簡単な操作で、画面データを送受信することができる。また、携帯電子装置は、加速度センサから又はタッチパネル入力部が出力するパルス出力信号に基づいて、他の携帯電子装置に送受信要求信号する。これにより、ユーザは、人間がドアをノックするという習慣的な動作に基づいた簡単な操作で、画面データを送受信することができる。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１８
【補正方法】変更
【補正の内容】
【００１８】
また、本発明は、上述の改良された発明において、無線信号は、他の携帯電子装置に対して画面データの送受信が可能であることを通知する送受信ＯＫ信号をさらに含み、主記憶装置が、他の携帯電子装置の携帯電子装置ＩＤと関連付けて他の携帯電子装置の携帯電子装置ＩＤ名を記憶している場合、データ表示部は、無線送受信部が他の携帯電子装置から送受信ＯＫ信号及び携帯電子装置ＩＤ信号を受信したことに応じて、携帯電子装置ＩＤ名を表示し、タッチパネル入力部は、データ表示部に表示された携帯電子装置ＩＤ名がユーザの指にタッチされたことに応じて、タッチパネル出力信号を出力し、制御部は、タッチパネル出力信号を検知したことに応じて、データ表示部に双方向矢印の形状をした機器伝送アイコンを表示させ、機器伝送アイコンがユーザの指に双方向矢印に沿ってタッチされたことに応じて、無線送受信部に、データ表示部に表示されている全ての画面データを送信させる。
【手続補正７】
【補正対象書類名】明細書
【補正対象項目名】００１９
【補正方法】変更
【補正の内容】
【００１９】
本発明によれば、ユーザは、データ表示部に表示された携帯電子装置ＩＤ名送受信相手のＩＤ名をタッチすることで、画面データを送信したい携帯電子装置を選択する。これにより、ユーザは、人間の習慣的な動作に基づいた操作で所望する携帯電子装置と画面データを送受信することができる。また、ユーザは、指で携帯電子装置ＩＤ名をタッチした後、機器伝送アイコンを横滑りタッチすることにより、画像データを所望する携帯電子装置に送信することができる。横滑りタッチは、人間が他人に紙を手渡す動作に類似しているため、ユーザは、直感的で簡単な操作で画像データを送信することができる。
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】変更
【補正の内容】
【００２６】
また、本発明は、上述の改良された発明において、加速度を検知する加速度センサと、ユーザの指の接触を検知するタッチパネル入力部と、データを記憶するデータ記憶部と、データを画面データとして表示するデータ表示部と、装置全体を制御する制御部と、装置全体を制御する制御プログラム及び装置に割り当てられた一意のコンピュータＩＤを記憶する主記憶部と、無線信号を送受信する無線送受信部とを備えたコンピュータを用いて画面データを送受信させるための画面データ送受信プログラムにおいて、無線信号は、他のコンピュータに画面データを送受信することを要求する送受信要求信号と、他のコンピュータにコンピュータＩＤを通知するコンピュータＩＤ信号であって、制御部は、加速度センサに、加速度を検知したことに応じて加速度センサ出力信号を出力させるステップと、タッチパネル入力部に、ユーザの指の接触を検知したことに応じてタッチパネル出力信号を出力させるステップと、加速度センサ出力信号及びタッチパネル出力信号は、パルス信号であって、パルス信号を検知したことに応じて、所定時間が経過するまでパルス信号を検知し続け、所定時間が経過するまで継続して加速度センサ及びタッチパネル入力部からパルス信号が出力されないとき、無信号状態であると判定するステップと、無信号状態であると判定したとき、無線送受信部に、他の携帯電子装置に送受信要求信号及び携帯電子装置ＩＤ信号を送信させた後、さらに画面データを送信させるステップと、をコンピュータに実行させる。
【手続補正１５】
【補正対象書類名】明細書
【補正対象項目名】００２７
【補正方法】変更
【補正の内容】
【００２７】
本発明によれば、コンピュータは、加速度センサ出力信号又はタッチパネル出力信号を検知することにより、他のコンピュータに送受信要求信号を送信した後に画面データを送信する。これにより、ユーザは、簡単な操作で、画面データを送受信することができる。また、コンピュータは、加速度センサから又はタッチパネル入力部が出力するパルス出力信号に基づいて、他のコンピュータに送受信要求信号する。これにより、ユーザは、人間がドアをノックするという習慣的な動作に基づいた簡単な操作で、画面データを送受信することができる。
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３２
【補正方法】変更
【補正の内容】
【００３２】
また、本発明は、上述の改良された発明において、無線信号は、他のコンピュータに対して画面データの送受信が可能であることを通知する送受信ＯＫ信号をさらに含み、主記憶装置が、他のコンピュータのコンピュータＩＤと関連付けて他のコンピュータのコンピュータＩＤ名を記憶している場合、制御部は、データ表示部に、無線送受信部が他のコンピュータから送受信ＯＫ信号及びコンピュータＩＤ信号を受信したことに応じて、コンピュータＩＤ名を表示させるステップと、タッチパネル入力部に、データ表示部に表示されたコンピュータＩＤ名がユーザの指にタッチされたことに応じて、タッチパネル出力信号を出力させるステップと、タッチパネル出力信号を検知したことに応じて、データ表示部に双方向矢印の形状をした機器伝送アイコンを表示させるステップと、機器伝送アイコンがユーザの指に双方向矢印に沿ってタッチされたことに応じて、無線送受信部に、データ表示部に表示されている全ての画面データを送信させるステップと、をコンピュータに実行させる。
【手続補正１９】
【補正対象書類名】明細書
【補正対象項目名】００３３
【補正方法】変更
【補正の内容】
【００３３】
本発明によれば、ユーザは、データ表示部に表示されたコンピュータＩＤ名送受信相手のＩＤ名をタッチすることで、画面データを送信したいコンピュータを選択する。これにより、ユーザは、人間の習慣的な動作に基づいた操作で所望するコンピュータと画面データを送受信することができる。また、ユーザは、指でコンピュータＩＤ名をタッチした後、機器伝送アイコンを横滑りタッチすることにより、画像データを所望するコンピュータに送信することができる。横滑りタッチは、人間が他人に紙を手渡す動作に類似しているため、ユーザは、直感的で簡単な操作で画像データを送信することができる。
【手続補正２０】
【補正対象書類名】明細書
【補正対象項目名】００３４
【補正方法】削除
【補正の内容】
【手続補正２１】
【補正対象書類名】明細書
【補正対象項目名】００３５
【補正方法】削除
【補正の内容】
【手続補正２２】
【補正対象書類名】明細書
【補正対象項目名】００３６
【補正方法】削除
【補正の内容】
【手続補正２３】
【補正対象書類名】明細書
【補正対象項目名】００３７
【補正方法】削除
【補正の内容】
【手続補正２４】
【補正対象書類名】明細書
【補正対象項目名】００３８
【補正方法】削除
【補正の内容】
【手続補正２５】
【補正対象書類名】明細書
【補正対象項目名】００３９
【補正方法】削除
【補正の内容】
【国際調査報告】
2012090296.tif 000009
2012090296.tif 000010
2012090296.tif 000011